(57)【要約】【課題】２種類のコネクタ端子をカードの挿入方向に沿って前後に配設して長さの異なるカードを挿着可能にすると共に、カードの排出時には各カードを円滑に排出することができるカード用コネクタ装置を提供する。【解決手段】スライド部材７には、第１のカード１４の前端部と当接して第１のカード１４を挿着位置から排出位置まで移動させる第１当接部７ａと、この第１当接部７ａよりもカード挿入口側に配設され、第２のカード１５の前端部と当接して第２のカード１５を挿着位置から排出位置まで移動させる第２当接部７ｂとを設け、第１のカード１４が挿入される際には、第２当接部７ｂが第１のカード１５の挿入を妨げない位置へ待避可能となるように配設した。【選択図】        図１
2004259051.tif 000002
【特許請求の範囲】
【請求項１】
互いに長さ寸法の異なる第１のカード及び第２のカードが挿着される収納部を有するハウジングと、この収納部に前後方向に並設され、前記第１のカードの外部接触部と接触可能な第１のコネクタ端子及び前記第２のカードの外部接触部と接触可能な第２のコネクタ端子端子と、前記第１及び第２のカードの挿入及び排出に伴ってカードの挿入及び排出方向に移動可能なスライド部材と、このスライド部材を排出方向へ付勢する付勢部材と、前記スライド部材を前記付勢部材の付勢力に抗してカード挿着位置に保持するハート型カム溝及びロック部材とを備え、前記スライド部材には、前記第１のカードの前端部と当接して前記第１のカードを挿着位置から排出位置まで移動させる第１当接部と、この第１当接部よりもカード挿入口側に配設され、前記第２のカードの前端部と当接して前記第２のカードを挿着位置から排出位置まで移動させる第２当接部とを設け、前記第１のカードが挿入される際には、前記第２当接部が前記第１のカードの挿入を妨げない位置へ待避可能となるように配設したことを特徴とするカード用コネクタ装置。
【請求項２】
前記スライド部材には、前記第２当接部を回動可能に支持すると共に、前記第２当接部の回動を規制して前記第２のカードの前端部と当接する位置に保持する保持部材を設け、前記第１のカードが挿入される際には、前記保持部材による保持が解除されて前記第２当接部が前記第１のカードの挿入を妨げない位置へ回動するようにしたことを特徴とする請求項１記載のカード用コネクタ装置。
【請求項３】
前記保持部材は、前記第２のカードが挿入される際には、前記第２のカードとは当接せず、前記第１のカードが挿入される際には、前記第１のカードと当接する位置に配設されていることを特徴とする請求項２記載のカード用コネクタ装置。
【請求項４】
前記保持部材を、前記スライド部材に回動可能に支持すると共に、前記スライド部材には、前記第２当接部を前記第２のカードの前端部と当接する方向へ付勢する第１のばね部材と、前記保持部材を前記第２当接部を保持する方向に付勢する第２のばね部材を配設したことを特徴とする請求項３記載のカード用コネクタ装置。
【請求項５】
前記第２当接部には、カードの挿着を検出する検出手段と当接する作動突部が設けられ、前記第１のカードが挿入される際には、前記第２の当接部が回動されることにより前記作動突部は検出手段と当接されず、前記第２のカードが挿入される際には、前記作動突部が検出手段と当接するようにしたことを特徴とする請求項１乃至４の何れかに記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカードなどに使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、近年においては、小型のメモリーカードには、長いもの、短いもの、厚いもの、薄いものなど、形状の異なる色々な種類のメモリーカードが開発されており、これらに対応してカード用コネクタ装置も様々な種類のものが開発されている。
【０００４】
この場合、カード用コネクタ装置としては１種類のメモリーカードにしか対応しておらず、一つのカード用コネクタ装置には特定の一つのメモリーカードしか挿着することができなかった（例えば、特許文献１参照）。
このため、色々な種類のメモリーカードを使用したい場合には、それぞれのメモリーカード専用のカード用コネクタ装置を準備する必要があった。
【０００５】
【特許文献１】
特開２０００−２５１０２５号公報
【０００６】
【発明が解決しようとする課題】
しかしながら、それぞれのメモリーカード専用のカード用コネクタ装置を準備する場合には、カード用コネクタ装置を搭載する電子機器が大型化してしまい、また、メモリーカードを挿着する際に、種類の異なるメモリーカードを間違って別のカード用コネクタに挿入してしまうという不具合が発生する問題があった。
【０００７】
このため、１種類のカード用コネクタ装置に異なる種類のカードを挿着したいという要望があり、特に幅寸法が同じで長さ寸法が異なるカードを挿着したいという要望があるが、かかる場合に従来のカード用コネクタ装置の排出機構では１種類のカードにしか対応していないため、長さの異なるカードを一つの排出機構で同じように排出することはできないという問題があった。
【０００８】
したがって、本発明では上述した問題点を解決し、２種類のコネクタ端子をカードの挿入方向に沿って前後に配設して長さの異なるカードを挿着可能にすると共に、カードの排出時には各カードを円滑に排出することができるカード用コネクタ装置を提供することを目的とする。
【０００９】
【課題を解決するための手段】
上記課題を解決するために本発明では第１の手段として、互いに長さ寸法の異なる第１のカード及び第２のカードが挿着される収納部を有するハウジングと、この収納部に前後方向に並設され、前記第１のカードの外部接触部と接触可能な第１のコネクタ端子及び前記第２のカードの外部接触部と接触可能な第２のコネクタ端子と、前記第１及び第２のカードの挿入及び排出に伴ってカードの挿入及び排出方向に移動可能なスライド部材と、このスライド部材を排出方向へ付勢する付勢部材と、前記スライド部材を前記付勢部材の付勢力に抗してカード挿着位置に保持するハート型カム溝及びロック部材とを備え、前記スライド部材には、前記第１のカードの前端部と当接して前記第１のカードを挿着位置から排出位置まで移動させる第１当接部と、この第１当接部よりもカード挿入口側に配設され、前記第２のカードの前端部と当接して前記第２のカードを挿着位置から排出位置まで移動させる第２当接部とを設け、前記第１のカードが挿入される際には、前記第２当接部が前記第１のカードの挿入を妨げない位置へ待避可能となるように配設したことを特徴とする。
【００１０】
また、第２の手段として、前記スライド部材には、前記第２当接部を回動可能に支持すると共に、前記第２当接部の回動を規制して前記第２のカードの前端部と当接する位置に保持する保持部材を設け、前記第１のカードが挿入される際には、前記保持部材による保持が解除されて前記第２当接部が前記第１のカードの挿入を妨げない位置へ回動するようにしたことを特徴とする。
【００１１】
また、第３の手段として、前記保持部材は、前記第２のカードが挿入される際には、前記第２のカードとは当接せず、前記第１のカードが挿入される際には、前記第１のカードと当接する位置に配設されていることを特徴とする。
【００１２】
また、第４の手段として、前記保持部材を、前記スライド部材に回動可能に支持すると共に、前記スライド部材には、前記第２当接部を前記第２のカードの前端部と当接する方向へ付勢する第１のばね部材と、前記保持部材を前記第２当接部を保持する方向に付勢する第２のばね部材を配設したことを特徴とする。
【００１３】
また、第５の手段として、前記第２当接部には、カードの挿着を検出する検出手段と当接する作動突部が設けられ、前記第１のカードが挿入される際には、前記第２の当接部が回動されることにより前記作動突部は検出手段と当接されず、前記第２のカードが挿入される際には、前記作動突部が検出手段と当接するようにしたことを特徴とする。
【００１４】
【発明の実施の形態】
以下、本発明の実施形態を図１乃至図１０に示す。図１はカード用コネクタ装置の平面図、図２は排出機構部分の部分側面図、図３は第１のカード排出位置のカード用コネクタ装置の平面図、図４は同じく排出機構部分の部分側面図、図５は第１のカード挿着位置のカード用コネクタ装置の平面図、図６は同じく排出機構部分の部分側面図、図７は第２のカード排出位置のカード用コネクタ装置の平面図、図８は同じく排出機構部分の部分側面図、図９は第２のカード挿着位置のカード用コネクタ装置の平面図、図１０は同じく排出機構部分の部分側面図である。
【００１５】
図１及び図２において、ハウジング１は、合成樹脂などの絶縁材で前方及び上方が開口された方形状の箱形に形成されている。このハウジング１の中央には収納部１ａが設けられており、また、前記ハウジング１には、前記収納部１ａに連続してハウジング１の前面まで延びるカード挿入部１ｂが形成されている。また、前記収納部１ａには、弾性を有する導電性の金属材からなる第１、及び第２のコネクタ端子２、３が複数個並設されている。
【００１６】
前記第１のコネクタ端子２は、前記収納部１ａのカード挿入方向の奥側に配設されており、平板状の基部と、この基部から互いに対向する方向へ屈曲されて形成された接続片２ａ及び接触片２ｂとから形成されている。前記第１のコネクタ端子２は、一端側に形成された前記接続片２ａが、前記ハウジング１の後方外側面から外方へ表出して配設されており、この接続片２ａが電子機器などの外部の回路基板上の回路パターンと半田付けされて固着されることで信号の伝送が行われるものとなる。
【００１７】
また、前記第１のコネクタ端子２の基部の他端側に延出されて形成された前記接触片２ｂが、前記収納部１ａ内に突出して配設されたものとなっている。また、前記接触片２ｂの先端側には、後述する第１のカード１４の外部接触部１４ａに接続される接点部２ｃが形成されている。
【００１８】
前記第２のコネクタ端子３は、前記収納部１ａの前記第１のコネクタ端子２の配設位置よりも手前側に配設されており、平板状の基部と、この基部から互いに対向する方向へ略Ｚ字状に屈曲されて形成された接続片３ａ及び接触片３ｂとから形成されている。前記第２のコネクタ端子３は、一端側に形成された前記接続片３ａが、前記収納部１ａの底面部に設けられた開口部１ｃから外方へ表出して配設されており、この接続片３ａが電子機器などの外部の回路基板上の回路パターンと半田付けされて固着されることで信号の伝送が行われるものとなる。
【００１９】
また、前記第２のコネクタ端子３の基部の他端側に形成された前記接触片３ｂが、前記収納部１ａの底部に片持ち状に支持されて前記収納部１ａ内に突出して配設されたものとなっている。また、前記接触片３ｂの先端側には、後述する第２のカード１５の外部接触部１５ａに接続される接点部３ｃが形成されている。
【００２０】
また、前記ハウジング１の一側部には、後述するスライド部材７をカードの排出方向へ付勢するコイルばねからなる付勢部材４を収容するばね収容部１ｄが形成されている。また、このばね収容部１ｄと対向する一端側には、後述するロック部材１１と協働してスライド部材７をカードの挿着位置に保持するハート型カム溝１ｅが形成されている。
【００２１】
また、前記ハウジング１の一側部には、カードの挿着を検出するための検出手段である固定接点部材５と、この固定接点部５と対向して可動接点部材６が配設されている。前記固定接点部材５は導電性の金属板からなり、一端側には、弾性を有する平板状の接片５ａが形成されている。また、他端側には、前記ハウジング１の外側面から外方へ突出する端子片５ｂが形成されている。また、前記接片５ａの先端には前記可動接点部６と接離される接点部５ｃが設けられている。
【００２２】
前記可動接点部材６は、同じく導電性の金属板からなり、一端側には、弾性を有する平板状の可動片６ａが形成されている。また、他端側には、前記ハウジング１の外側面から外方へ突出する端子片６ｂが形成されている。また、前記可動片６ａの自由端側は上側に屈曲されて弾性変形可能に形成されており、この先端部が前記固定接点部材５の接片５ａの前記接点部５ｃと接離される接点部６ｃとなっている。
【００２３】
この場合、前記固定接点部材５の接片５ａと前記可動接点部材６の可動片６ａとは左右方向（この場合カード挿入方向に直交する方向）に対向した状態で前記ハウジング１に配設されており、後述する第２の当接部７ｂに設けられた作動突部７ｄに前記可動片６ａの屈曲部上面が押圧されることにより、前記可動片６ａが図示左方向に変位されるように形成されている。この時、前記固定接点部材５の接片５ａの接点部５ｃと、前記可動接点部材６の可動片６ａの接点部６ｃとが接触することで後述する第２のカード１５の挿着が完了したことを検出するようになっている。
【００２４】
スライド部材７は、合成樹脂などの絶縁材から略逆Ｕ字状に形成されており、このスライド部材７には、後方側に位置して後述する第１のカード１４が当接して収容される梁状に一体に形成された第１当接部７ａと、この第１当接部７ａより前方側に位置して後述する第２のカード１５が当接して収容される第２当接部７ｂとが形成されている。
【００２５】
前記第２当接部７ｂは、前記スライド部材７に支軸７ｃを中心に回動可能に支持されており、この支軸７ｃを介して前記第２当接部７ｂの一端側には、カードの挿着を検出する検出手段である前記可動接点部材６の可動片６ａを押圧する作動突部７ｄが設けられている。また、前記第２当接部７ｂには、前記第２当接部７ｂを後述する第２のカード１５の前端部と当接する方向に付勢する、ねじりコイルばねからなる第１のばね部材８が設けられており、この第１のばね部材８の付勢力により前記作動突起７ｄが前記スライド部材７の側面から突出した状態で保持されている。
【００２６】
また、前記スライド部材７には、同じく合成樹脂などの絶縁材からなる保持部材９が支軸９ａを中心に回動可能に支持されている。この保持部材９には、後述する第２のカード１５が挿入される際に、前記第２当接部７ｂに係合して前記第２当接部７ｂの回動を規制する規制突起部９ｂが形成されている。また、後述する第１のカード１４が挿入される際に、第１のカード１４の底面部と当接して前記規制突起部９ｂを前記第２当接部７ｂから離脱させる方向に案内する傾斜面部９ｃが形成されている。また、前記保持部材９には、前記規制突起部９ｂを前記第２当接部７ｂと係合する方向に付勢する、ねじりコイルばねからなる第２のばね部材１０が設けられている。
【００２７】
このように、前記保持部材９を、前記スライド部材７に回動可能に支持すると共に、前記スライド部材７には、前記第２当接部７ｂを第２のカード１５の前端部と当接する方向へ付勢する前記第１のばね部材８と、前記保持部材９を前記第２当接部７ｂを保持する方向に付勢する前記第２のばね部材１０を配設するようにしてあるので、前記第２当接部７ｂは前記保持部材９によって確実に保持されるので、前記第２当接部７ｂを前記第２のカード１５の前端部と当接する位置に確実に保持することができるものとなる。
【００２８】
また、前記スライド部材７には、前記ハウジング１のばね収容部１ｄに収容された、前記付勢部材４の一端部が係止されるばね係止部７ｅが設けられており、また前記スライド部材７の一端側には、前記ハウジング１の一端側に形成された前記ハート型カム溝１ｅに摺接される金属の線材からなるロック部材１１の一端が回動可能に軸支される軸孔７ｆが形成されている。前記ロック部材１１と前記ハート型カム溝１ｄとの協働によって前記スライド部材７は、前記付勢部材４の付勢力に抗してカードの挿着位置に保持されるものとなっている。
【００２９】
また、前記第１当接部７ａに当接して収容される第１のカード１４の収容部の一側面部には、収容される第１のカード１４の側面部に設けられた位置決め用の凹部１４ｃに係合する、ばね性を有する金属板等からなる第１係合片１２が固着されており、また、前記第２当接部７ｂに収容される第２のカード１５の収容部の一側面部には、同じく、収容される第２のカード１５の側面部に設けられた位置決め用の凹部１５ｃに係合する、ばね性を有する金属板等からなる第２係合片１３が固着されている。前記第１係合片１２及び前記第２係合片１３のばね性により、第１のカード１４及び第２のカード１５が確実に挿着位置に位置決めされるものとなっている。
【００３０】
尚、図示はしないが、前記ハウジング１の上面側には、金属板からなるカバー部材が、前記ハウジング１の上面側の開口部を覆うように取り付けられている。
また、このカバー部材は前記ハウジング１の収納部１ａに配設された前記第１及び第２のコネクタ端子２、３の上面を覆うように形成されており、外部からの輻射ノイズ等の侵入を防止するシールド板の役目も果たすものとなっている。
【００３１】
第１のカード１４は、図３、図５に示すように内部に集積回路（ＩＣ）が収納されており、記録媒体として広く使用されているものである。この第１のカード１４の一表面には、その一端側に複数の外部接触部１４ａが形成されており、この外部接触部１４ａが前記ハウジング１の収納部１ａに配設された前記第１のコネクタ端子２の接触片２ｂと接触することにより、外部に接続された電子機器との種々の情報処理が行われるものとなっている。
【００３２】
また、前記第１のカード１４の一端部には傾斜面からなる切り欠き部１４ｂが形成されており、この切り欠き部１４ｂと反対側の前記第１のカード１４の一側面部には、位置決め用の凹部１４ｃが形成されている。前記第１のカード１４を前記スライド部材７の第１当接部７ａに当接して挿入する際、前記凹部１４ｃに、前記第１のカード１４の収容部の一側面部に設けられたばね性を有する前記第１係合片１２が係合することにより、前記第１のカード１４を前記スライド部材７の収容部に保持させるものとなっている。
【００３３】
前記第１のカード１４が前記スライド部材７の収容部に挿入された時、前記第１のカード１４の前端部が前記スライド部材７の第１当接部７ａに当接することによって、前記スライド部材７が前記第２のカード１４の挿入に伴って挿入方向へ移動可能となるように形成されている。
【００３４】
第２のカード１５は、図７、図９に示すように内部に集積回路（ＩＣ）が収納されており、記録媒体として広く使用されているものである。この第２のカード１５の一表面には、その一端側に複数の外部接触部１５ａが形成されており、この外部接触部１５ａが前記ハウジング１の収納部１ａに配設された前記第２のコネクタ端子３の接触片３ｂと接触することにより、外部に接続された電子機器との種々の情報処理が行われるものとなっている。
【００３５】
また、前記第２のカード１５の一側端部には、細長状の切り欠き部１５ｂが設けられている。前記第２のカード１５が前記スライド部材７の第２当接部７ｂに当接して挿入された際、この切り欠き部１５ｂが設けられていることにより、前記第２当接部７ｂに係合された前記保持部材９の傾斜面部９ｃが前記第２のカード１５の底面部とは当接することがないので、前記保持部材９は回動されることなく、前記第２当接部７ｂは前記第２のカード１５の前端部と確実に当接されて、前記スライド部材７が前記第２のカード１５の挿入に伴って挿入方向へ移動可能となっている。
【００３６】
また、前記第２のカード１５の他側面部には、位置決め用の凹部１５ｃが形成されている。この凹部１５ｃに前記第２のカード１５の収容部の一側面部に設けられたばね性を有する前記第２係合片１３が係合することで前記第２のカード１５を前記スライド部材７の収容部に保持させるものとなっている。
【００３７】
尚、前記第２のカード１５は略立方体状に形成されており、前記第１のカード１４に比較して、挿入方向の長さ寸法が前記第１のカード１４よりも短く形成されたものとなっている。
【００３８】
上記構成のように、長さ寸法の異なる、それぞれの前記第１のカード１４、及び前記第２のカード１５を前記ハウジング１のカード挿入部１ｂに挿入する場合、上記実施例の構成においては、前記スライド部材７に前記第１のカード１４の前端部と当接する前記第１当接部７ａと、前記第２のカード１５の前端部に当接する前記第２の当接部７ｂをそれぞれ形成し、前記第２のカード１４よりも長さ寸法の長い前記第１のカード１５を挿入する際には、前記第２当接部７ｂを回動させて前記第１のカード１４の挿入を妨げない位置へ待避させるようにしていることから、それぞれの前記第１のカード１４、及び第２のカード１５の挿入が可能となっている。
【００３９】
また、前記第１のカード１４は前記第２のカード１５よりも挿入方向の長さ寸法が長く長尺状に形成されているが、前記ハウジング１の収納部１ａには、前記第１のカード１４の外部接触部１４ａと接触する前記第１のコネクタ端子２と、前記第２のカード１５の外部接触部１５ａと接触する前記第２のコネクタ端子３とを、カードの挿入方向にお互いに違えて、それぞれの前記外部接触部１４ａ、１５ａの形成位置に対応させて配設するようにしてあるので、形状の異なる２種類のカードと、これらを挿着するコネクタ装置のコネクタ端子との接触を確実に行うことができるものとなっている。
【００４０】
次に、図３乃至図１０を用いて前記第１のカード１４、及び第２のカード１５をコネクタ装置に挿入する場合の動作を説明する。
まず、図１に示す初期の状態、すなわち前記第１のカード１４の未挿入時には、前記スライド部材７は前記付勢部材４の付勢力によりカードの排出方向へ付勢されている。この時、前記固定接点部材５と可動接点部材６は前記接点部５ｃと６ｃとが離間しておりオフ状態となっている。
【００４１】
次に、前記第１のカード１４が、前記スライド部材７の収容部に挿入されると、前記第１のカード１４は、前記第１係合片１２により位置決め用の前記凹部１４ｃが係合されと共に、前端部が前記第１当接部７ａに当接されて保持されるものとなる。この時、前記第１のカード１４の底面部が、前記スライド部材７に回動可能に支持された前記保持部材９の傾斜面部９ｃに当接して、この保持部材９を図示下方向へ回動させるものとなる。そして、前記第２当接部７ｂの回動を規制している前記規制突起部９ｂと前記第２当接部７ｂとの係合が外れることにより、前記第２当接部７ｂが前記第１のカード１４の前端部により待避位置へ回動されるものとなる。この時、前記第１のカード１４の外部接触部１４ａは前記第１のコネクタ端子２の接触片２ｂの接点部２ｃとは離間している。（図３、図４）
【００４２】
次に、前記第１のカード１４をカードの挿入方向へ押圧してやると、前記スライド部材７が前記第１のカード１４の挿入に伴って挿入方向へ移動可能となり、前記付勢部材４の付勢力に抗して前記スライド部材７がカードの挿入方向へ移動して、前記ロック部材１１の一端部が前記ハート型カム溝１ｅをトレースしてロック位置にロックされる。この時、前記第１のカード１４の外部接触部１４ａは前記第１のコネクタ端子２の接触片２ｂの接点部２ｃと接触するものとなる。（図５、図６）
【００４３】
このように、前記スライド部材７に、前記第２当接部７ｂを回動可能に支持すると共に、常時には前記第２当接部７ｂの回動を規制することで前記第２当接部７ｂを前記第２のカード１５の前端部と当接する位置に保持するために前記保持部材９を設けることにより、前記第１のカード１４が挿入される際には、前記保持部材９が回動し保持が解除されて前記第２当接部７ｂが前記第１のカード１４の挿入を妨げない位置へ回動するようにしてあるので、前記第１のカード１４を挿入する場合においても前記第２当接部７ｂが邪魔になることがなく、確実に前記第２のカード１５を排出することができるものとなっている。
【００４４】
次に、図１に示す初期の状態、すなわち前記第２のカード１５の未挿入時には、前記スライド部材７は前記付勢部材４の付勢力によりカードの排出方向へ付勢されている。この時、前記固定接点部材５と可動接点部材６は前記接点部５ｃと６ｃとが離間しておりオフ状態となっている。
【００４５】
次に、前記第２のカード１５が、前記スライド部材７の収容部に挿入されると、前記第２のカード１５は、前記第２係合片１３により位置決め用の前記凹部１５ｃが係合されると共に、前端部が前記第２当接部７ｂに当接されて保持されるものとなる。この時、前記第２のカード１５の一側端部には細長状の前記切り欠き部１５ｂが設けてあり、この切り欠き部１５ｂを設けることにより前記保持部材９の傾斜面部９ｃに前記第２のカード１５が当接することがないので、前記第２当接部７ｂは前記保持部材９により回動が規制され保持されるものとなる。この時、前記第２のカード１５の外部接触部１５ａは前記接触片３ｂの接点部３ｃとは離間している。（図７、図８）
【００４６】
次に、前記第２のカード１５をカードの挿入方向へ押圧してやると、前記スライド部材７が前記第２のカード１５の挿入に伴って挿入方向へ移動可能となり、前記付勢部材４の付勢力に抗して前記スライド部材７がカードの挿入方向へ移動して、前記ロックピン１１の一端部が前記ハート型カム溝１ｅをトレースしてロック位置にロックされる。そして、前記第２のカード１５の外部接触部１５ａは前記第２のコネクタ端子３の接触片３ｂの接点部３ｃと接触するものとなる。（図９、図１０）
【００４７】
このように、前記保持部材９は、前記第２のカード１５が挿入される際には、前記第２のカード１５とは当接しないようになっており、前記第１のカード１４が挿入される際には、前記第１のカード１４と当接するようになっているので、前記第２のカード１５の挿入時には前記第２当接部７ｂと確実に当接させることができると共に、前記第１のカード１４の挿入時には確実に前記第２当接部７ｂの保持を解除できるものとなっている。
【００４８】
また、この時、前記スライド部材７の側面には、前記スライド部材７に回動可能に支持され前記第２当接部７ｂの一端側に設けられた前記作動突部７ｄが突出されており、この作動突部７ｄがカードの挿着を検出する検出手段である前記可動接点部材６の可動片６ａを押圧することから、前記可動片６ａの接点部６ｃが前記固定接点部材５の接片５ａの接点部５ｃと接触することで前記第２のカード１５の挿入が完了したことを検出することができる。
【００４９】
このように、前記第２当接部７ｂには、カードの挿着を検出する検出手段と当接する前記作動突部７ｄが設けられているので、カードの挿着を検出する必要がある前記第２のカード１５の挿着時の検出を確実に行うことができる。
【００５０】
また、前記第２のカード１５の挿入により前記保持部材９及び前記第２当接部７ｂが回動されないようにしたことにより、前記第２のカード１５の外部接触部１５ａと前記第２のコネクタ端子３の接触片３ｂの接点部３ｃとを確実に接触させることができるものとなっている。
【００５１】
上記した実施例によれば、前記スライド部材７に、長さ寸法の長い前記第１のカード１４の前端部と当接して前記第１のカード１４を挿着位置から排出位置まで移動させる前記第１当接部７ａを設けると共に、この第１当接部７ａよりもカード挿入口側に配設され、前記第１のカード１４よりも長さ寸法が短い前記第２のカード１５の前端部と当接して前記第２のカード１５を挿着位置から排出位置まで移動させる前記第２当接部７ｂとを設け、前記第１のカード１４が挿入される際には、第１のカード１４の挿入に伴って前記第２当接部７ｂが前記第１のカード１４の挿入を妨げない位置へ回動して待避可能となるように配設するようにしたので、前記スライド部材７に前記第１当接部７ａ及び前記第２当接部７ｂをそれぞれ設けることにより、長さ寸法の異なる前記第１のカード１４と前記第２のカード１５の挿着が可能になると共に、カードの排出時にはそれぞれのカードを円滑に排出することができるものとなっている。
【００５２】
【発明の効果】
以上説明したように、本発明のカード用コネクタ装置は、互いに長さ寸法の異なる第１のカード及び第２のカードが挿着される収納部を有するハウジングと、この収納部に前後方向に並設され、第１のカードの外部接触部と接触可能な第１のコネクタ端子及び第２のカードの外部接触部と接触可能な第２のコネクタ端子と、第１及び第２のカードの挿入及び排出に伴ってカードの挿入及び排出方向に移動可能なスライド部材と、このスライド部材を排出方向へ付勢する付勢部材と、スライド部材を付勢部材の付勢力に抗してカード挿着位置に保持するハート型カム溝及びロック部材とを備え、スライド部材には、第１のカードの前端部と当接して第１のカードを挿着位置から排出位置まで移動させる第１当接部と、この第１当接部よりもカード挿入口側に配設され、第２のカードの前端部と当接して第２のカードを挿着位置から排出位置まで移動させる第２当接部とを設け、第１のカードが挿入される際には、第２当接部が第１のカードの挿入を妨げない位置へ待避可能となるように配設したことから、スライド部材に第１当接部及び第２当接部をそれぞれ設けることにより、長さの異なる第１のカードと第２のカードの挿着が可能になると共に、カードの排出時にはそれぞれのカードを円滑に排出することができる。
【００５３】
また、スライド部材には、第２当接部を回動可能に支持すると共に、第２当接部の回動を規制して第２のカードの前端部と当接する位置に保持する保持部材を設け、第１のカードが挿入される際には、保持部材による保持が解除されて第２当接部が第１のカードの挿入を妨げない位置へ回動するようにしたことから、第１のカードを挿入する場合においても第２当接部が邪魔になることがなく、確実に第２のカードを排出することができる。
【００５４】
また、保持部材は、第２のカードが挿入される際には、第２のカードとは当接せず、第１のカードが挿入される際には、第１のカードと当接する位置に配設されていることから、第２のカードの挿入時には第２当接部と確実に当接させることができると共に、第１のカードの挿入時には確実に第２の当接部の保持を解除できる。
【００５５】
また、保持部材を、スライド部材に回動可能に支持すると共に、スライド部材には、第２当接部を第２のカードの前端部と当接する方向へ付勢する第１のばね部材と、保持部材を第２当接部を保持する方向に付勢する第２のばね部材を配設したことから、第２当接部は保持部材によって確実に保持されるので、第２当接部を第２のカードの前端部と当接する位置に確実に保持することができる。
【００５６】
また、第２当接部には、カードの挿着を検出する検出手段と当接する作動突部が設けられ、第１のカードが挿入される際には、第２の当接部が回動されることにより作動突部は検出手段と当接されず、第２のカードが挿入される際には、作動突部が検出手段と当接するようにしたことから、カードの挿着を検出する必要がある第２のカードの挿着時の検出を確実に行うことができる。
【図面の簡単な説明】
【図１】本発明の一実施例であるカード用コネクタ装置を示す平面図である。
【図２】本発明のカード用コネクタ装置の排出機構部分を示す部分側面図である。
【図３】本発明の第１のカード排出位置のカード用コネクタ装置を示す平面図である。
【図４】本発明のカード用コネクタ装置の排出機構部分を示す部分側面図である。
【図５】本発明の第１のカード挿着位置のカード用コネクタ装置を示す平面図である。
【図６】本発明のカード用コネクタ装置の排出機構部分を示す部分側面図である。
【図７】本発明の第２のカード排出位置のカード用コネクタ装置を示す平面図である。
【図８】本発明のカード用コネクタ装置の排出機構部分を示す部分側面図である。
【図９】本発明の第２のカード挿着位置のカード用コネクタ装置を示す平面図である。
【図１０】本発明のカード用コネクタ装置の排出機構部分を示す部分側面図である。
【符号の説明】
１  ハウジング
１ａ  収納部
１ｂ  カード挿入部
１ｃ  開口部
１ｄ  ばね収容部
１ｅ  ハート型カム溝
２  第１のコネクタ端子
２ａ  接続片
２ｂ  接触片
２ｃ  接点部
３  第２のコネクタ端子
３ａ  接続片
３ｂ  接触片
３ｃ  接点部
４  付勢部材
５  固定接点部材
５ａ  接片
５ｂ  端子片
５ｃ  接点部
６  可動接点部材
６ａ  可動片
６ｂ  端子片
６ｃ  接点部
７  スライド部材
７ａ  第１当接部
７ｂ  第２当接部
７ｃ  支軸
７ｄ  作動突部
７ｅ  ばね係止部
７ｆ  軸孔
８  第１のばね部材
９  保持部材
９ａ  支軸
９ｂ  規制突起部
９ｃ  傾斜面部
１０  第２のばね部材
１１  ロック部材
１２  第１係合片
１３  第２係合片
１４  第１のカード
１４ａ  外部接触部
１４ｂ  切り欠き部
１４ｃ  凹部
１５  第２のカード
１５ａ  外部接触部
１５ｂ  切り欠き部
１５ｃ  凹部
【図１】
2004259051.tif 000003
【図２】
2004259051.tif 000004
【図３】
2004259051.tif 000005
【図４】
2004259051.tif 000006
【図５】
2004259051.tif 000007
【図６】
2004259051.tif 000008
【図７】
2004259051.tif 000009
【図８】
2004259051.tif 000010
【図９】
2004259051.tif 000011
【図１０】
2004259051.tif 000012